(57)【特許請求の範囲】
【請求項１】
円筒部と、一端が該円筒部の内部に連通するとともに他端に開放された管口を有し該円筒部の外周にＴ字形に突出して設けられた三本の分岐管と、内部にＴ字形の通路を有し円筒部の内周面に液密かつ回動自在に挿設される摺動部と、該摺動部に連設され該摺動部を回動させる１本又は複数の操作レバーとを備えた三方活栓に用いる保護栓であって、
１の前記分岐管の管口を遮蔽すると共に該分岐管に保持される遮蔽部と、該遮蔽部から前記操作レバー側に延設され該操作レバーの回動を抑止する抑止部とを備え、
前記遮蔽部は、不使用の分岐管の管口を密嵌して遮蔽する密嵌部と、密嵌部から延設され該分岐管を被うように設けられた把持部とを有し、前記抑止部が該把持部によりその直上に支持されることを特徴とする三方活栓用保護栓。
【請求項２】
前記抑止部は、前記操作レバーの回動方向の両側に起立する一対の側壁を備えることを特徴とする請求項１記載の三方活栓用保護栓。
【請求項３】
前記抑止部は、複数の操作レバーを有する前記三方活栓において平面視で前記摺動部を中心として該三方活栓の１８０°外向に突出する一対の操作レバーの各々の遮蔽部側隣接位置に一対の抑止片を備えることを特徴とする請求項１又は２記載の三方活栓用保護栓。
【発明の詳細な説明】
【技術分野】
【０００１】
本発明は、主に医療の分野において輸血や点滴等を行う際に使用される三方活栓の分岐管の管口を遮蔽する三方活栓用保護栓に関する。
【背景技術】
【０００２】
三方活栓は、特に医療の分野において輸血や点滴等を行う際に使用されており、例えば、２本の分岐管から供給される薬液等を１本の分岐管に交互にあるいは同時に供給するものである。この三方活栓は、一般に、少なくとも一端が開放された円筒部の外周面に３本の分岐管が９０゜の角度をもって離間して設けられた本体と、この本体の円筒部に挿入され内部に略Ｔ字形の通路を有する摺動部と、この摺動部を回動させることにより前記通路を介して所定の前記分岐管同士を選択的に連通させる１本又は複数の操作レバーとにより構成されている。
【０００３】
そして、現在どの分岐管とどの分岐管が連通しているかは、図４に示すように、通常前記摺動部又は操作レバー１０１の上面１０２に設けられる目印や操作レバー１０１の向き等で確認することができるようになっている。
【０００４】
従来、このような三方活栓用保護栓としては、分岐管１０３の外周面に嵌合する内周面と底部１０４にフランジ１０５を備える合成樹脂製の有底円筒状体のキャップ１００が知られている（例えば特許文献１等）。かかるキャップ１００によれば、連通していない不使用の分岐管１０３にキャップ１００を嵌合しておくことにより、不使用の分岐管１０３にゴミ等が進入または付着することを防止できる。また、使用者が誤って操作レバー１０１を回動させてしまい、分岐管１０３が連通し分岐管１０３に薬液が流れ込んだ場合であっても、分岐管１０３の管口１０６が塞がれているため、分岐管１０３の管口１０６から薬液の液漏れを生じることがない。
【０００５】
しかしながら、使用者は元々、連通していない不使用の分岐管１０３にキャップ１００を嵌合しているため、何らかの理由で操作レバー１０１が回動され、使用者がそのことに気づかない場合には、分岐管１０３は連通していない不使用の分岐管であると思い込んでキャップ１００を分岐管１０３から取り外してしまい、分岐管１０３の管口１０６から液漏れを生じてしまう不都合がある。
【特許文献１】実開平６−４４５５４号公報
【発明の開示】
【発明が解決しようとする課題】
【０００６】
本発明は、以上の点に鑑み、不使用の分岐管の遮断状態を安定的に維持し、不使用の分岐管に薬液等が流入することを確実に防止できる三方活栓用保護栓を提供することをその課題としている。
【課題を解決するための手段】
【０００７】
上記課題を解決するために、本発明の三方活栓用保護栓は、円筒部と、一端が該円筒部の内部に連通するとともに他端に開放された管口を有し該円筒部の外周にＴ字形に突出して設けられた三本の分岐管と、内部にＴ字形の通路を有し円筒部の内周面に液密かつ回動自在に挿設される摺動部と、該摺動部に連設され該摺動部を回動させる１本又は複数の操作レバーとを備えた三方活栓に用いる保護栓であって、
１の前記分岐管の管口を遮蔽すると共に該分岐管に保持される遮蔽部と、該遮蔽部から前記操作レバー側に延設され該操作レバーの回動を抑止する抑止部とを備え、
前記遮蔽部は、不使用の分岐管の管口を密嵌して遮蔽する密嵌部と、密嵌部から延設され該分岐管を被うように設けられた把持部とを有し、前記抑止部が該把持部によりその直上に支持されることを特徴とする。
【０００８】
本発明の三方活栓用保護栓によれば、分岐管の管口を遮蔽する遮蔽部により不使用の分岐管の管口を遮蔽密閉して、該分岐管にゴミ等が進入または付着することを防止できることができるとともに、該遮蔽部から操作レバー側に延設された抑止部により操作レバーの回動操作が抑止される。これにより、かかる三方活栓用保護栓によれば、不用意な操作レバーの回動が抑止されるので、不使用の分岐管の遮断状態を安定的に維持し、不使用の分岐管に薬液等が流入することを確実に防止できる。
【０００９】
また、本発明の三方活栓用保護栓において、前記抑止部は、前記操作レバーの回動方向の両側に起立する一対の側壁を備えることを特徴とする。
【００１０】
かかる三方活栓用保護栓によれば、抑止部は、１本の操作レバーの回動方向の両側に起立する一対の側壁により該操作レバーの回動を抑止する。すなわち、該操作レバーの時計回りの回動に対しては、時計回りの回動方向に位置する一方の側壁により該回動が抑止され、反時計回りの回動に対しては、反時計回りの回動方向に位置する他方の側壁により該回動が抑止される。これにより、例えば、遮断される分岐管の向きを示す操作レバーを有する三方活栓に対して、該操作レバーの回動を一対の側壁によって抑止することができ、不使用である分岐管の遮断状態を確実に維持することができる。
【００１１】
さらに、本発明の三方活栓用保護栓において、前記抑止部は、複数の操作レバーを有する前記三方活栓において平面視で前記摺動部を中心として該三方活栓の１８０°方向に突出する一対の操作レバーの各々の遮蔽部側隣接位置に一対の抑止片を備えることを特徴とする。
【００１２】
かかる三方活栓用保護栓によれば、抑止片は、複数（通常３本）の操作レバーを有する三方活栓において同一軸線上に位置する一対の操作レバーに対して、該軸線の遮蔽部側かつ該操作レバーの各々に隣接する位置に位置する一対の抑止片により、該操作レバーの回動を抑止する。すなわち、操作レバーの時計回りの回動に対しては、時計回りの回動方向に位置する一方の抑止片により該回動が抑止され、反時計回りの回動に対しては、反時計回りの回動方向に位置する他方の抑止片により該回動が抑止される。これにより、例えば、連通される分岐管の向きを示す複数の操作レバーを有する三方活栓に対して、同一軸線上に位置する一対の操作レバーの回動を一対の抑止片によって抑止することができ、不使用である分岐管の遮断状態を確実に維持することができる。
【発明を実施するための最良の形態】
【００１３】
次に、添付の図面を参照しながら本発明の実施の形態についてさらに詳しく説明する。図１は三方活栓に密嵌された本実施形態の三方活栓用保護栓の斜視図であり、図２は三方活栓に密嵌された本実施形態の三方活栓用保護栓の平面図であり、図３は図２のＩＩＩ―ＩＩＩ線断面図である。
【００１４】
本実施形態における三方活栓用保護栓１は、図１及び図２に示すように、三方活栓Ａ，Ｂの１の分岐管Ｃ１の管口Ｄ１（図３参照）を遮蔽すると共に分岐管Ｃ１に保持される遮蔽部２と、遮蔽部２から操作レバーＥに向けて延設され操作レバーＥの回動を抑止する抑止部３とを備える。
【００１５】
遮蔽部２は、図３に示すように、分岐管Ｃ１の管口Ｄ１内に密嵌して遮蔽する密嵌部４と、密嵌部４から延設され分岐管Ｃ１を被うように設けられた把持部５と、把持部５の三方活栓Ａ，Ｂ側端部に設けられた略Ｃ字形状の突出部６とを備える。
【００１６】
抑止部３は、図１（ａ）及び図２（ａ）に示すように、分岐管Ｃの連通が遮断される方向を示すレバーＥを有する三方活栓Ａに対して、三方活栓Ａの操作レバーＥの回動方向の両側に起立する一対の側壁７，７を備える。一対の側壁７，７の間には底壁８が設けられ、一対の側壁７，７と底壁８とは樋状の形状を成している。
【００１７】
さらに、抑止部３は、図１（ｂ）及び図２（ｂ）に示すように、分岐管Ｃが連通される方向を３本のレバーＥが示す三方活栓Ｂに対して、平面視で三方活栓Ｂの摺動部Ｆ（図３（ｂ）参照）を中心として１８０°外向に突出する一対の操作レバーＥ２，Ｅ３の各々の遮蔽部２側隣接位置に一対の抑止片９，９を備える。尚、側壁７と抑止片９との間は連結部１０により接続されている。
【００１８】
次に、三方活栓用保護栓１の機能について説明する。
【００１９】
まず、図１（ａ）及び図２（ａ）に示すように、分岐管Ｃの連通が遮断される方向を示すレバーＥを有する三方活栓Ａに対して、使用者は、操作レバーＥを回動させ、不使用で連通を遮断したい分岐管Ｃ１に操作レバーＥを向ける。このとき、使用者は、操作レバーＥの上面に表示されたＯＦＦ表示により、不使用の分岐管Ｃ１の連通が遮断されていることを確認することができる。
【００２０】
この状態で、使用者は、三方活栓用保護栓１の把持部５を摘み、操作レバーＥが一対の側壁７，７の間に配置されると共に、分岐管Ｃ１の管口Ｄ１に三方活栓用保護栓１の密嵌部４が密嵌されるように、円筒部Ｇの側方から三方活栓用保護栓１を三方活栓Ａの円筒部Ｇ側に押し込む。このとき、操作レバーＥの底面が底壁８を摺動するように構成することにより、分岐管Ｃ１の管口Ｄ１と三方活栓用保護栓１の密嵌部４との高さ方向の位置合わせを容易にすることができる。
【００２１】
そして、図３（ａ）に示すように三方活栓用保護栓Ａが十分に押し込まれたとき、分岐管Ｃ１の管口Ｄ１に三方活栓用保護栓１が密嵌されて、三方活栓用保護栓１が三方活栓Ａに固定される。また、このとき、操作レバーＥの両側面は、一対の側壁７，７の間に配置される。尚、三方活栓用保護栓Ａが十分に押し込まれたときに、突出部６が三方活栓Ａの円筒部Ｇに軽く当接することにより、三方活栓用保護栓Ａが十分に押し込まれていることを確認できるように構成してもよい。
【００２２】
これにより、操作レバーＥの時計回りの回動に対しては、時計回りの回動方向に位置する側壁７により該回動が抑止され、反時計回りの回動に対しては、反時計回りの回動方向に位置する他方の側壁７により該回動が抑止される。
【００２３】
次に、図１（ｂ）及び図２（ｂ）に示すように、分岐管Ｃが連通される方向を示すレバーＥ１，Ｅ２，Ｅ３を有する三方活栓Ｂに対して、使用者は、不使用の分岐管Ｃ１に対して垂直に、一対の操作レバーＥ２，Ｅ３を向ける。このとき、使用者は、不使用で連通を遮断したい分岐管Ｃ１に、操作レバーＥ１，Ｅ２，Ｅ３のいずれもが向いていないことを確認し、不使用の分岐管Ｃ１の連通が遮断されていることを確認する。
【００２４】
この状態で、使用者は、三方活栓用保護栓１の把持部５を摘み、一対の抑止片９，９が一対の操作レバーＣ２，Ｃ３の遮蔽部側隣接位置に位置すると共に、分岐管Ｃ１の管口Ｄ１に三方活栓用保護栓１の密嵌部４が密嵌されるように、三方活栓用保護栓１を三方活栓Ｂの円筒部Ｇ側に押し込む。
【００２５】
そして、図３（ｂ）に示すように三方活栓用保護栓Ｂが十分に押し込まれたとき、分岐管Ｃ１の管口Ｄ１に三方活栓用保護栓１が密嵌されて三方活栓用保護栓１が三方活栓Ａに固定されると共に、一対の抑止片９，９が一対の操作レバーＥ２，Ｅ３に隣接する（当接する場合を含む）ように配置される。
【００２６】
これにより、操作レバーＥ１，Ｅ２，Ｅ３の時計回りの回動に対しては、時計回りの回動方向に位置する抑止片９が操作レバーＥ３に抗力を及ぼすことにより該回動が抑止され、反時計回りの回動に対しては、反時計回りの回動方向に位置する他方の抑止片９が操作レバーＥ２に抗力を及ぼすことにより該回動が抑止される。このため、不用意な操作レバーＥ１，Ｅ２，Ｅ３の回動が抑止され、不使用である分岐管Ｃ１の遮断状態を確実に維持することができる。
【００２７】
以上のように、本発明の三方活栓用保護栓１によれば、分岐管Ｃの連通が遮断される方向を示すレバーＥを有する三方活栓Ａ、および分岐管Ｃが連通される方向を示すレバーＥ１，Ｅ２，Ｅ３を有する三方活栓Ｂのいずれに対して使用することができ、不用意な操作レバーＥの回動が抑止し、不使用である分岐管Ｃ１の遮断状態を確実に維持することができる。
【００２８】
また、遮蔽部４により不使用の分岐管Ｃ１の管口Ｄ１が遮蔽密閉され、分岐管Ｃ１の管内にゴミ等が進入または付着することを防止できることができるとともに、分岐管Ｃ１の外周面が把持部５により被われているため、分岐管Ｃ１の外周を清潔に保つことができる。
【００２９】
尚、本実施形態においては、分岐管Ｃ１を不使用の分岐管として説明したが、三方活栓用保護栓１は、分岐管Ｃ２が不使用の場合には、分岐管Ｃ２の管口Ｄ２を遮蔽するように使用することもできる。さらに、本実施形態では、１本又は３本の操作レバーＥを有する三方活栓Ａ，Ｂについて説明したが、これらに限定されるものでなく、２本、４本など複数の操作レバーを有する三方活栓にも適用できる。
【図面の簡単な説明】
【００３０】
【図１】三方活栓に密嵌された本実施形態の三方活栓用保護栓の斜視図。
【図２】三方活栓に密嵌された本実施形態の三方活栓用保護栓の平面図。
【図３】図２のＩＩＩ―ＩＩＩ線断面図。
【図４】従来の三方活栓用保護栓の斜視図。
【符号の説明】
【００３１】
１…三方活栓用保護栓、  ２…遮蔽部、  ３…抑止部、  ４…密嵌部、  ５…把持部、  ６…突出部、  ７…側壁、  ８…底壁、  ９…抑止片、  １０…連結部、  Ａ，Ｂ…三方活栓、  Ｃ１，Ｃ２，Ｃ３…分岐管、  Ｄ１，Ｄ２…管口、  Ｅ，Ｅ１，Ｅ２，Ｅ３…操作レバー、  Ｆ…摺動部、  Ｇ…円筒部。
【図１】
0004814654.tif 000002
【図２】
0004814654.tif 000003
【図３】
0004814654.tif 000004
【図４】
0004814654.tif 000005